【手続補正書】
【提出日】令和3年11月1日(2021.11.1)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器(UE)において、第1のビームペアリンク(BPL)を使用して基地局と第1の接続を確立するステップと、
前記第1のBPLで初期化され、データ送信時間間隔(TTI)の間に使用される、データ用のBPLを維持するステップと、
BPL切替えの指示を復号し前記指示に少なくとも部分的に基づいて前記第1のBPLとは異なるBPLを適用するために前記UEが必要とする時間量に対応するしきい値を識別するステップと、
第1の時間において第1の制御情報送信を受信するステップであって、前記第1の制御情報送信が、スケジューリングオフセットと、前記第1の時間に前記スケジューリングオフセットを加えた時間に対応する第2の時間おいて開始する第1のデータTTIに対する割当てと、BPL指示とを含む、ステップと、
前記しきい値および前記スケジューリングオフセットに少なくとも部分的に基づいて、データ用の前記BPLを切り替えるかどうか、および前記BPL切替えを行うための切替え時間を決定するステップと、
データ用の前記BPLを切り替えるとの決定に応じて、前記切替え時間においてデータ用の前記BPLを第2のBPLに切り替えるステップと
を含む、方法。
【請求項２】
前記決定するステップが、
前記スケジューリングオフセットが前記しきい値未満であるとの決定に基づいて、データ用の前記BPLとして前記第1のBPLを維持すると決定するステップ
を含む、請求項1に記載の方法。
【請求項３】
前記スケジューリングオフセットが前記しきい値未満であり、前記第2の時間に、示された前記BPLがデータ用の前記BPLとは異なるとの決定に少なくとも部分的に基づいて、前のBPL指示を受信する際に誤りが発生したことを識別するステップ
をさらに含む、請求項2に記載の方法。
【請求項４】
前記前のBPL指示を受信する際の前記誤りを識別した後で、データ用の前記BPLを前記UEによって維持されるように補正し、
データ用の前記補正されたBPLが、前記第2の時間と前記第1の時間にしきい値を加えた時間との間に発生するデータ用の前記BPLのシグナリングされた他のいずれの切替えによっても上書きされない場合、前記第1の時間に前記しきい値を加えた時間の後でデータ用の前記補正されたBPLを使用するステップ
をさらに含む、請求項3に記載の方法。
【請求項５】
前記決定するステップが、
前記スケジューリングオフセットが前記しきい値未満であるとの決定に少なくとも部分的に基づいて、前記第1の時間に前記しきい値を加えた時間において有効に開始して、データ用の前記BPLを前記第2のBPLに切り替えると決定するステップ
を含む、請求項1に記載の方法。
【請求項６】
前記決定するステップが、
前記スケジューリングオフセットに関係なく、前記第1の時間に前記しきい値を加えた時間においてデータ用の前記BPLを前記第2のBPLに切り替えると決定するステップ
を含む、請求項1に記載の方法。
【請求項７】
ワイヤレス通信のための方法であって、
基地局において、第1のビームペアリンク(BPL)を使用してユーザ機器(UE)と第1の接続を確立するステップと、
前記第1のBPLで初期化され、データ送信時間間隔(TTI)の間に使用される、データ用のBPLを維持するステップと、
1つまたは複数のチャネル条件に少なくとも基づいて、データ用の前記BPLを第2のBPLに変更するステップと、
前記UEがBPL切替えの指示を復号し前記指示に少なくとも部分的に基づいて異なるBPLを適用するための時間量に対応するしきい値を識別するステップと、
第1のデータTTIに対するリソースを前記UEに割り振るステップと、
前記割り振られたリソースを示す制御情報送信と前記第1のデータTTIの開始との間のスケジューリングオフセットを決定するステップと、
制御情報を前記UEに送信するステップであって、前記制御情報が、前記スケジューリングオフセットと、前記第1のデータTTIに対する割当てと、BPL指示とを含み、前記スケジューリングオフセット、前記制御情報送信の時間、前記しきい値、および前記BPL指示が、データ用の前記BPLが変更されることになるかどうか、およびBPL変更時間を前記UEに示す、ステップと
を含む、方法。
【請求項８】
前記スケジューリングオフセットが前記しきい値未満であるとき、データ用の前記BPLの変更を伝達しないと決定するステップ
をさらに含む、請求項7に記載の方法。
【請求項９】
前記スケジューリングオフセットが前記しきい値未満であるとき、前記制御情報内に示された前記BPLが前記第1のデータTTIに対して使用される前記BPLを示すと決定するステップ
をさらに含む、請求項8に記載の方法。
【請求項１０】
データ用の前記BPLの変更が、前記スケジューリングオフセットが前記しきい値未満であることによって示され、
前記BPL変更時間が、前記制御情報送信の前記時間に前記しきい値を加えた時間に対応する、請求項7に記載の方法。
【請求項１１】
データ用の前記BPLの変更が、前記スケジューリングオフセットに関係なく示され、
前記BPL変更時間が、前記制御情報送信の前記時間に前記しきい値を加えた時間に対応する、請求項7に記載の方法。
【請求項１２】
ワイヤレス通信のための装置であって、
ユーザ機器において、第1のビームペアリンク(BPL)を使用して基地局と第1の接続を確立するための手段と、
前記第1のBPLで初期化され、データ送信時間間隔(TTI)の間に使用される、データ用のBPLを維持するための手段と、
BPL切替えの指示を復号し前記指示に少なくとも部分的に基づいて前記第1のBPLとは異なるBPLを適用するために前記UEが必要とする時間量に対応するしきい値を識別するための手段と、
第1の時間において第1の制御情報送信を受信するための手段であって、前記第1の制御情報送信が、スケジューリングオフセットと、前記第1の時間に前記スケジューリングオフセットを加えた時間に対応する第2の時間おいて開始する第1のデータTTIに対する割当てと、BPL指示とを含む、手段と、
前記しきい値および前記スケジューリングオフセットに少なくとも部分的に基づいて、データ用の前記BPLを切り替えるかどうか、および前記BPL切替えを行うための切替え時間を決定するための手段と、
データ用の前記BPLを切り替えるとの決定に応じて、前記切替え時間においてデータ用の前記BPLを第2のBPLに切り替えるための手段と
を含む、装置。
【請求項１３】
ワイヤレス通信のための装置であって、
基地局において、第1のビームペアリンク(BPL)を使用してユーザ機器(UE)と第1の接続を確立するための手段と、
前記第1のBPLで初期化され、データ送信時間間隔(TTI)の間に使用される、データ用のBPLを維持するための手段と、
1つまたは複数のチャネル条件に少なくとも基づいて、データ用の前記BPLを第2のBPLに変更するための手段と、
前記UEがBPL切替えの指示を復号し前記指示に少なくとも部分的に基づいて異なるBPLを適用するための時間量に対応するしきい値を識別するための手段と、
第1のデータTTIに対するリソースを前記UEに割り振るための手段と、
前記割り振られたリソースを示す制御情報送信と前記第1のデータTTIの開始との間のスケジューリングオフセットを決定するための手段と、
制御情報を前記UEに送信するための手段であって、前記制御情報が、前記スケジューリングオフセットと、前記第1のデータTTIに対する割当てと、BPL指示とを含み、前記スケジューリングオフセット、前記制御情報送信の時間、前記しきい値、および前記BPL指示が、データ用の前記BPLが変更されることになるかどうか、およびBPL変更時間を前記UEに示す、手段と
を含む、装置。
【請求項１４】
コンピュータに請求項1乃至6のいずれか1項に記載の方法を実行させるための命令を含むコンピュータプログラム。
【請求項１５】
コンピュータに請求項7乃至11のいずれか1項に記載の方法を実行させるための命令を含むコンピュータプログラム。